(57)【要約】【課題】  ケース蓋などの平板部材に複数の押釦スイッチを配設するにあたって、ケース蓋のうす型化と強度確保を図ることができる押釦スイッチの取付構造を提供する。【解決手段】  スイッチ接点３ａをオンオフ制御するスイッチノブ１と、当該スイッチノブを昇降自在に保持するガイド部２ａとからなる押釦スイッチを、平板部材１０に複数配設するための押釦スイッチの取付構造において、スイッチノブ１を昇降自在に保持するガイド部２ａを複数一体成形したガイド部材２を使用し、当該ガイド部材２に複数のスイッチノブ１を取り付けるとともに、当該ガイド部材２の表側に、複数の貫通孔４ａを備える表の意匠板４を取り付け、裏側に裏の意匠板５を取り付けた。【選択図】        図１
2007073259.tif 000002
【特許請求の範囲】
【請求項１】
スイッチ接点（３ａ）をオンオフ制御するスイッチノブ（１）と、当該スイッチノブを昇降自在に保持するガイド部（２ａ）とからなる押釦スイッチを、平板部材（１０）に複数配設するための押釦スイッチの取付構造において、
スイッチノブ（１）を昇降自在に保持するガイド部（２ａ）を複数一体成形したガイド部材（２）を使用し、
当該ガイド部材（２）に複数のスイッチノブ（１）を取り付けるとともに、
当該ガイド部材（２）の表側に、複数の貫通孔（４ａ）を備える表の意匠板（４）を取り付け、裏側に裏の意匠板（５）を取り付けたことを特徴とする押釦スイッチの取付構造。
【請求項２】
スイッチ接点（３ａ）をオンオフ制御するスイッチノブ（１）と、当該スイッチノブを昇降自在に保持するガイド部（２ａ）とからなる押釦スイッチを、平板部材（１０）に複数配設するための押釦スイッチの取付構造において、
表の意匠板（４）と裏の意匠板（５）との間に配設されるスペーサ（２´）に、スイッチノブ（１）を昇降自在に保持するガイド部（２ａ）を複数一体成形し、
当該スペーサ（２´）の複数のスイッチノブ（１）を取り付けるとともに、
当該スペーサ（２´）の表側に、複数の貫通孔（４ａ）を備える表の意匠板（４）を取り付け、裏側に裏の意匠板（５）を取り付けたことを特徴とする押釦スイッチの取付構造。
【発明の詳細な説明】
【技術分野】
【０００１】
この発明は、車載用機器等の操作に使用する押釦スイッチの取付構造に関し、特にケース蓋などの表裏の両面が意匠板である平板部材に複数の押釦スイッチを配設するための押釦スイッチの取付構造に関する。
【背景技術】
【０００２】
押圧されたスイッチノブがスイッチ接点をオンオフ制御する押釦スイッチにおいて、スイッチノブをスライド自在に保持するガイド部材を設け、スイッチノブを押圧すると、前記ガイド部材のガイドによってスイッチノブが降下し、スイッチ接点をオンオフ制御する押釦スイッチの取付構造や、軟性シート材を介して複数のスイッチノブを結合保持し、スイッチノブを押圧すると、軟性シートが撓んでスイッチノブが降下し、スイッチ接点をオンオフ制御する押釦スイッチの取付構造が知られている（例えば特許文献１や特許文献を参照）。
【特許文献１】特開２００４−１３４２７４号公報
【特許文献２】特開平６−１５０７６８号公報
【発明の開示】
【発明が解決しようとする課題】
【０００３】
例えば、車載用オーディオ、エアコン等の車載用機器等をオンオフ操作する押釦スイッチとして、図５（ａ）に示すように、回路基板１０３に設けられたスイッチ接点１０３ａをオンオフ制御するスイッチノブ１０１と、当該スイッチノブ１０１を昇降自在に保持するガイド部１０２とから構成される押釦スイッチが採用されている。
そして、サイドボックスなどの車載用ケースの蓋部分に複数の押釦スイッチを取り付ける場合、図５（ｂ）に示すように、ケース蓋の表側に貼り合わされる意匠板１０４と、ケース蓋の裏側に貼り合わされる裏板１０５との間に、スイッチ接点１０３ａと、当該スイッチ接点１０３ａをオンオフ制御するスイッチノブ１０１と、スイッチノブを昇降自在に保持するガイド部１０２とからなる押釦スイッチを各々配設する。なお、ケース蓋の表側に貼り合わされる意匠板１０４には、美的外観を得るために意匠が施され、またスイッチノブ１０１が配置される貫通孔１０４ａが形成されている。
【０００４】
図５に示すように、従来技術による押釦スイッチの取付構造では、ケース蓋等の平板部材に複数の押釦スイッチを取り付ける場合、裏板１０５に対して複数のガイド部１０２が個々に取り付けられる。
そのため、押釦スイッチ押圧時の荷重がガイド部１０２毎に裏板１０５に負荷されることになり、当該ガイド部１０２が個々に取り付けられた裏板１０５には、前記荷重を負担するための強度が必要とされ、押釦スイッチ押圧時に裏板１０５が部分的に撓まないように、ガイド部１０２の取付部分に補強部材を取り付けたり、層厚で強度のある裏板１０５を使用したりしていた。つまり裏板１０５に剛性が必要なため、ケース蓋をうす型化できないといった問題点があった。さらに裏側にも薄板状の意匠板を貼り合わせ、表裏ともに意匠板を貼り合わせたケース蓋を構成する場合、前記裏の意匠板に補強部材（リブ）を設けていたが、補強部材（リブ）を設けるとヒケ等の外観品質上の問題点があった。
またケース蓋の表側の意匠板１０４と、当該意匠板１０４の貫通孔１０４ａ内に配置されるスイッチノブ１０１との公差が、意匠板１０４と裏板１０５との関係と、裏板１０５とガイド部材１０２との関係と、ガイド部材１０２とスイッチノブ１０１の関係との３つに関係し、その公差が大きくなっていた。
【課題を解決するための手段】
【０００５】
そこでこの発明は、スイッチ接点をオンオフ制御するスイッチノブと、当該スイッチノブを昇降自在に保持するガイド部とからなる押釦スイッチを、平板部材に複数配設するための押釦スイッチの取付構造において、スイッチノブを昇降自在に保持するガイド部を複数一体成形したガイド部材を使用し、当該ガイド部材に複数のスイッチノブを取り付けるとともに、当該ガイド部材の表側に、複数の貫通孔を備える表の意匠板を取り付け、裏側に裏の意匠板を取り付けたものである。
【発明の効果】
【０００６】
この発明の押釦スイッチの取付構造によれば、スイッチノブを昇降自在に保持するガイド部を複数一体成形してなるガイド部材またはスペーサを使用し、当該ガイド部材（スペーサ）に複数のスイッチノブを取り付けるとともに、当該ガイド部材（スペーサ）の表裏に薄板状の意匠板を取り付けるため、複数の押釦スイッチを配設したケース蓋などの平板部材をうす型化することができる。またガイド部を複数一体成形したガイド部材（スペーサ）の表裏に意匠板を貼り合わせた平板部材は、表の意匠板と裏の意匠板との間に配設される前記ガイド部材（スペーサ）によって強度が確保され、複数の押釦スイッチを配設したケース蓋の強度を大きくすることができる。
さらにこの発明による押釦スイッチの取付構造によれば、ガイド部材（スペーサ）に対してスイッチノブを取り付けるとともに、ガイド部材（スペーサ）の表裏に意匠板を取り付ける構造であるため、スイッチノブと表の意匠板との公差を小さくすることができる。
【発明を実施するための最良の形態】
【０００７】
本発明の実施例による押釦スイッチについて図１乃至図４を参照して説明する。
【０００８】
図１及び図２を参照してこの発明の第１実施例による押釦スイッチの取付構造を説明する。
この実施例では、図１の断面図に示すように、スイッチ接点３ａをオンオフ制御するスイッチノブ１を昇降自在に保持するガイド部２ａが複数一体成形されている。
そして、複数のガイド部２ａを備えるガイド部材２に複数のスイッチノブ１を取り付け、前記ガイド部２ａで各スイッチノブ１を昇降自在に保持することによって、回路基板３上に配設された各スイッチ接点３ａをオンオフ制御する。
【０００９】
この実施例では、複数のスイッチノブ１が取り付けられたガイド部材２の裏側に、薄板状の意匠板５（以下、裏の意匠板５という）を取り付けた。
また前記ガイド部材２の表側に、複数の貫通孔４ａを形成した薄板状の意匠板４（以下、表の意匠板４という）を取り付け、ガイド部材２によって昇降自在に保持されている複数のスイッチノブ１を前記貫通孔４ａ内にそれぞれ配置した。
なお表の意匠板４及び裏の意匠板５の厚みは薄く、その表面には美的外観を得るために意匠が施されている。
【００１０】
図２は、複数の押釦スイッチが配設されたケース蓋１０を示す断面図である。
複数の押釦スイッチが配設されたケース蓋１０などの平板部材（特に、表裏ともに意匠板を貼り合せてなる平板部材）を構成するにあたって、この実施例では、ガイド部２ａを複数一体成形してなるガイド部材２を使用し、当該ガイド部材２に複数のスイッチノブ１を取り付けるとともに、当該ガイド部材２を薄板状の表の意匠板４と裏の意匠板５との間に配設した。
ガイド部材２に取り付けられた複数のスイッチノブ１は、ガイド部２ａによって昇降自在に保持され、表の意匠板４の貫通孔内４ａ内に配置されている。
【００１１】
図２（ａ）に示すように、ガイド部２ａによって昇降自在に保持されているスイッチノブ１に対して押圧力がない場合、当該スイッチノブ１の下に配置されているスイッチ接点３ａはオフ状態にある。
また図２（ｂ）に示すように、スイッチノブ１（真ん中のスイッチノブ）に対して押圧力がかかると、当該押圧されたスイッチノブ１の下に配置されているスイッチ接点３ａがオン状態となる。
【００１２】
スイッチノブ１を昇降自在に保持するガイド部２ａを複数一体成形したガイド部材２を使用した場合、前記ガイド部２ａに保持された各スイッチノブ１に負荷された押圧力はガイド部材２全体で負担することとなる。
つまり、ガイド部２ａに昇降自在に保持されたスイッチノブ１に負荷された押圧力を、ガイド部材２ａを複数一体成形したガイド部材２全体で負担するため、当該ガイド部材２の裏側に取り付けた裏の意匠板５では、各スイッチノブ１に負荷された押圧力の負担が小さくなり、裏の意匠板５には剛性が必要ない。そのため、裏の意匠板５に補強部材（リブ）を取り付けたり、層厚で強度のある裏板を使用したりする必要がなく、薄板状の意匠板（裏の意匠板）５を使用することができ、ケース蓋１０をうす型化することができる。
【００１３】
また複数のガイド部２ａを備えるガイド部材２に対して複数のスイッチノブ１がそれぞれ取り付けられるとともに、当該ガイド部材２に表の意匠板４と裏の意匠板５とがそれぞれ取り付けられる構造であり、ケース蓋１０の表面に貼り合わされる表の意匠板４と、当該表の意匠４の貫通孔４ａ内に配置されるスイッチノブ１との公差が、ガイド部材２と表の意匠板４の関係と、ガイド部材２とスイッチノブ１の関係との２つのみに関係し、公差を小さくすることができる。
さらにガイド部材２に対して複数のスイッチノブ１を取り付けるとともに、当該ガイド部材２に対して複数の貫通孔４ａを備える表の意匠板４を取り付ける構造であるため、スイッチノブ１と貫通孔４ａとの位置ずれを防止しやすく、スイッチノブ１が配置される貫通孔４ａのガタ（貫通孔４ａとスイッチノブ１との隙間）を小さく設計することができる。
【００１４】
次に、図３及び図４を参照してこの発明の第２実施例による押釦スイッチの取付構造を説明する。
この実施例も第１実施例と同様に、スイッチ接点３ａをオンオフ制御するスイッチノブ１を昇降自在に保持するガイド部２ａが複数一体成形されている。
図３に示す第２実施例では、ケース蓋１０´などの平板部材の表側に貼り合わされる表の意匠板４と裏側に貼り合わされる裏の意匠板５との間に配設され、前記ケース蓋１０´の強度を確保するためのスペーサ２´に、スイッチノブ１を昇降自在に保持するガイド２ａを複数一体成形し、当該スペーサ２´に複数のスイッチノブ１を取り付けた。また前記スペーサ２´に複数のスペーサ貫通孔２ｂを形成し、各スペーサ貫通孔２ｂ内に回路基板３上に配設された各スイッチ接点３ａをそれぞれ配置した。
つまり、スペーサ２´に形成したガイド部２ａで各スイッチノブ１を昇降自在に保持し、スペーサ貫通孔２ｂ内に配置された各スイッチ接点３ａをオンオフ制御する。
【００１５】
この実施例では、複数のスイッチノブ１が取り付けられたスペーサ２´の裏側に、薄板状の裏の意匠板５を取り付けた。
また前記スペーサ２´の表側に、複数の貫通孔４ａを形成した薄板状の表の意匠板４を取り付け、スペーサ２´によって昇降自在に保持されている複数のスイッチノブ１を前記貫通孔４ａ内にそれぞれ配置した。
なお表の意匠板４及び裏の意匠板５の厚みは薄く、その表面には美的外観を得るために意匠が施されている。
【００１６】
図４は、複数の押釦スイッチが配設されたケース蓋１０´を示す断面図である。
図４（ａ）に示すように、ガイド部２ａによって昇降自在に保持されているスイッチノブ１に対して押圧力がない場合、当該スイッチノブ１の下に配置されているスイッチ接点３ａはオフ状態にある。
また図４（ｂ）に示すように、スイッチノブ１（真ん中のスイッチノブ）に対して押圧力がかかると、当該押圧されたスイッチノブ１の下に配置されているスイッチ接点３ａがオン状態となる。
【００１７】
スイッチノブ１を昇降自在に保持するガイド部２ａを複数一体成形したスペーサ２´を使用した場合、前記ガイド部２ａに保持された各スイッチノブ１に負荷された押圧力はスペーサ２´で負担することとなる。
つまり、ガイド部２ａに昇降自在に保持されたスイッチノブ１に負荷された押圧力を、ガイド部２ａを複数一体成形したスペーサ２´で負担するため、当該スペーサ２´の裏側に取り付けた裏の意匠板５では、各スイッチノブ１に負荷された押圧力の負担が小さくなり、薄板状の裏の意匠板５を使用することができ、ケース蓋１０をうす型化できる。
また表の意匠板４と裏の意匠板５との間に配設したスペーサ２´によって、複数の押釦スイッチが配設されたケース蓋１０´の強度を確保することができる。
【００１８】
さらにこの実施例では、複数のガイド部２ａを備えるスペーサ２´に対して複数のスイッチノブ１がそれぞれ取り付けられるとともに、前記スペーサ２´の表裏に、それぞれ表の意匠板４と裏の意匠板５とが取り付けられる構造であるため、第1実施例と同様に、ケース蓋１０の表面に貼り合わされる表の意匠板４と、当該表の意匠板４の貫通孔４ａ内に配置されるスイッチノブ１との公差を小さくすることができ、またスイッチノブ１と貫通孔４ａとの位置ずれを防止しやすく、スイッチノブ１が配置される貫通孔４ａのガタ（貫通孔４ａとスイッチノブ１との隙間）を小さく設計することができる。
【図面の簡単な説明】
【００１９】
【図１】この発明の第１実施例による押釦スイッチの取付構造を説明する図である。
【図２】図１に示す押釦スイッチの断面図である。
【図３】この発明の第２実施例による押釦スイッチの取付構造を説明する図である。
【図４】図３に示す押釦スイッチの断面図である。
【図５】従来技術による押釦スイッチの取付構造の断面図である。
【符号の説明】
【００２０】
１    スイッチノブ
２    ガイド部材
２´  スペーサ
２ａ  ガイド孔
２ｂ  スペーサ貫通孔
３    回路基板
３ａ  スイッチ接点
４    表の意匠板
４ａ  貫通孔
５    裏の意匠板
１０  ケース蓋
【図１】
2007073259.tif 000003
【図２】
2007073259.tif 000004
【図３】
2007073259.tif 000005
【図４】
2007073259.tif 000006
【図５】
2007073259.tif 000007